(57)【特許請求の範囲】
【請求項１】
電気的な制御基板を収納した基板ケースが、遊技機本体に設けられた設置部に取付けられる遊技機において、
前記設置部に固定手段により着脱自在に固定されるベース部材と、
前記ベース部材を前記設置部から取外した状態で該ベース部材に設けられた保持部に対して着脱可能で、ベース部材を設置部に固定することで設置部と保持部との間に保持されて取外し不能となる固定部材と、
前記基板ケースに設けられ、前記固定部材の固定部に対して破壊しない限り該基板ケースを取外しできないように固着される取付部とを備え、
前記ベース部材を設置部に固定した前記固定手段が、前記固定部材に固着された前記基板ケースで隠れるよう構成し、
前記保持部は、前記固定部材を収容保持可能で前記設置部側を開放した形状に形成されて、該設置部側の開放部から固定部材が該保持部に収容され、
前記ベース部材を前記設置部に固定することで、該設置部が前記保持部に収容した前記固定部材の該開放部側の端面に当接するよう構成された
ことを特徴とする遊技機。
【請求項２】
前記ベース部材は、前記設置部に当接するよう前記固定手段で固定される固定片と、該固定片に連設されて設置部側に開放すると共に前記固定部材を収容保持する前記保持部と、該保持部における設置部から離間する規制面に形成された嵌合孔とを備え、
前記固定部材には、前記嵌合孔に嵌合可能で、前記固定部を形成した突部が設けられ、
前記突部を嵌合孔に嵌合して前記固定部が外方に延出する状態で固定部材を保持部に収容保持したベース部材を、前記設置部に固定することで、該設置部により突部が嵌合孔から抜ける方向への固定部材の移動が規制されるよう構成した請求項１記載の遊技機。
【発明の詳細な説明】
【技術分野】
【０００１】
この発明は、電気的な制御基板を収納した基板ケースを備える遊技機に関するものである。
【背景技術】
【０００２】
パチンコ機、あるいは遊技球(パチンコ球)を利用したスロットマシン(一般に「パチンコ式スロットマシン」または「パロット」ともいう)等の遊技機は、遊技の進行を制御するための種々の制御基板を備えている。これら制御基板には、遊技内容に関わるプログラムを記憶したＲＯＭが搭載されているため、不正なプログラムが記憶されたＲＯＭを搭載した不正な制御基板と交換されることを防ぐために、上ケースと下ケースとからなる基板ケースに制御基板を収納すると共に、両ケースの端部に設けた取付部を、開封方向への回転が困難に形成されたねじで連結する構成が採用されている。すなわち、このような構成の基板ケースでは、ねじ止めした取付部を破断しない限り開封することができないから、不正な制御基板との交換を防止することができ、しかも破断時には痕跡が残るので、開封したことを認識できる。
【０００３】
また、前記基板ケースを遊技機に備え付ける構成として、基板ケースに設けた取付部と、遊技機に設けた固定部とを前記ねじで連結し、基板ケースを遊技機から取外す際には前記取付部を破断し、またその破断した痕跡により取外したことが認識し得るようにした、前述の構成と同様なものが採用されている。しかるに、この構成では、検査等のために正規に基板ケースを取外す際にも取付部を破断するため、正規な取外しが度重なると、遊技機に設けた固定部の数が足りなくなる問題がある。そこで、遊技機に直接固定されるベース部材に対して着脱可能な固定部材に固定部を一体に設け、全ての固定部を使用した際には、ベース部材から使用済みの固定部材を取外して新しい固定部材と交換することで対応し得ると共に、ベース部材を再利用可能としたものが知られている(例えば、特許文献１参照)。
【特許文献１】特開２０００−３５４６７３号公報
【発明の開示】
【発明が解決しようとする課題】
【０００４】
前記特許文献１に開示の構成では、ベース部材に対してスライド式に挿入固定した固定部材は、該固定部材を固定している離脱防止部材の揺動片を指等で押し下げてその係合状態を解除することで、ベース部材から簡単に取外すことができるよう構成されている。これは、近年問題となっている正規の制御基板を収納した正規の基板ケースを、不正な制御基板を収納した不正な基板ケースに丸ごと取替えてしまうという不正行為に対しては、充分な不正防止対策が施されているとは云い難かった。
【０００５】
すなわち、基板ケースを丸ごと取替える不正行為は、遊技場の営業中に従業者の隙をついて交換に至ることが多く、その場合、交換に要する時間を少しでも長びかせるようにすることが、不正行為防止の観点から重要である。しかるに、基板ケースの取付部を破断して基板ケースを取外した後に、取付部の一部が残存している固定部材をも交換する不正行為を想定したときに、特許文献１の構成では、前述したように固定部材を手動で簡単に取外すことが可能となっているため、交換に要する時間を長びかせることができず、不正行為を抑制し得るものではなかった。
【０００６】
すなわち、本発明は、前述した従来の技術に内在している前記課題に鑑み、これを好適に解決するべく提案されたものであって、基板ケースの固定に関連する部材が再利用可能で、かつ不正行為を抑制し得るように基板ケースを固定することができる遊技機を提供することを目的とする。
【課題を解決するための手段】
【０００７】
前記課題を克服し、所期の目的を達成するため、本願の請求項１に係る発明の遊技機は、
電気的な制御基板を収納した基板ケース(40)が、遊技機本体に設けられた設置部(12a)に取付けられる遊技機において、
前記設置部(12a)に固定手段(N)により着脱自在に固定されるベース部材(20)と、
前記ベース部材(20)を前記設置部(12a)から取外した状態で該ベース部材(20)に設けられた保持部(24)に対して着脱可能で、ベース部材(20)を設置部(12a)に固定することで設置部(12a)と保持部(24)との間に保持されて取外し不能となる固定部材(30)と、
前記基板ケース(40)に設けられ、前記固定部材(30)の固定部(34)に対して破壊しない限り該基板ケース(40)を取外しできないように固着される取付部(48,58)とを備え、
前記ベース部材(20)を設置部(12a)に固定した前記固定手段(N)が、前記固定部材(30)に固着された前記基板ケース(40)で隠れるよう構成し、
前記保持部(24)は、前記固定部材(30)を収容保持可能で前記設置部(12a)側を開放した形状に形成されて、該設置部(12a)側の開放部から固定部材(30)が該保持部(24)に収容され、
前記ベース部材(20)を前記設置部(12a)に固定することで、該設置部(12a)が前記保持部(24)に収容した前記固定部材(30)の該開放部側の端面に当接するよう構成されたことを特徴とする。
請求項１に係る発明によれば、基板ケースを固定するための固定部材を、ベース部材に対して着脱可能に構成したから、固定部材が使用不能となってもベース部材については再利用することができる。しかも、悪意ある第三者が、制御基板、基板ケース、固定部材を複製し、不正に交換しようとした場合においては、ベース部材を設置部から取外さない限り固定部材を交換することができないから、交換に要する時間を長びかせて不正行為を抑制することができる。また、固定部材を取外すにはベース部材を設置部から取外してからになるが、この作業は通常の遊技場内で行なう作業ではないので、遊技場の従業者への作業量の増加には繋がらない。ちなみに、遊技機の製造者が遊技機を回収し再利用する場合においては、前記の作業は工場内で行なうので、多少煩雑化しても作業者に大きな負担を掛けることはない。更に、設置部を利用してベース部材からの固定部材の取外しを規制するよう構成したから、ベース部材自体の構成を簡略化してコストを低廉に抑えることができる。
【０００９】
請求項２に係る発明は、請求項１記載の遊技機において、前記ベース部材(20)は、前記設置部(12a)に当接するよう前記固定手段(N)で固定される固定片(22)と、該固定片(22)に連設されて設置部(12a)側に開放すると共に前記固定部材(30)を収容保持する前記保持部(24)と、該保持部(24)における設置部(12a)から離間する規制面(24a)に形成された嵌合孔(26)とを備え、
前記固定部材(30)には、前記嵌合孔(26)に嵌合可能で、前記固定部(34)を形成した突部(32)が設けられ、
前記突部(32)を嵌合孔(26)に嵌合して前記固定部(34)が外方に延出する状態で固定部材(30)を保持部(24)に収容保持したベース部材(20)を、前記設置部(12a)に固定することで、該設置部(12a)により突部(32)が嵌合孔(26)から抜ける方向への固定部材(30)の移動が規制されるよう構成した。
請求項２に係る発明によれば、請求項１と同様な効果の他に、固定部材の突部をベース部材の嵌合孔に嵌合することで、ベース部材に対する固定部材の位置決めを簡単に行ない得る利点を有する。
【発明の効果】
【００１０】
本発明に係る遊技機によれば、基板ケースを固定する部材を再利用することができると共に、基板ケースを丸ごと交換する等の不正行為を抑制し得る。
【発明を実施するための最良の形態】
【００１１】
次に、本発明に係る遊技機につき、好適な実施例を挙げて、添付図面を参照して以下に説明する。なお実施例では、遊技機としてパチンコ球を使用するパチンコ式スロットマシン(以後「パロット」と指称する)を挙げて説明するが、本発明はメダルを遊技媒体とするスロットマシンまたはパチンコ機にも好適に実施可能である。また本願において、基板ケースおよびその取付け構造を説明するに際しては、図１に示す状態で前、後、左および右を指称する。
【実施例】
【００１２】
図４および図５に示す実施例に係るパロット１０の概略構成としては、該パロット１０の前面をなす前面扉１１と、この前面扉１１の側端に回動自在に枢支した内枠(開閉枠)１２と、該パロット１０の設置基体である島設備に取付け固定される外枠１３とから基本的に構成される。前面扉１１は、外枠１３に対して回動自在に枢支されると共に、その枢支端と反対側の裏面に設けた施錠装置(図示せず)の操作により外枠１３に対して内枠１２と一体で開閉し得るよう構成される。なお、図４において符号Ｒは、パロット１０に併設され、遊技球を貸出す貸出装置を示し、該貸出装置Ｒは、後述する主制御基板ＰＣに接続される。
【００１３】
前記前面扉１１の前面中央には、内枠１２に設置されて前面扉１１の裏面に臨む可変表示装置１９を覆う透明な窓部１１ａが設けられ、該窓部１１ａを介して可変表示装置１９における複数のリール１９ａ,１９ａ,１９ａを前側から視認し得るようになっている。窓部１１ａの下方位置には、入賞により払出されたパチンコ球を貯留すると共に、この貯留したパチンコ球を前面扉１１の裏面に設けた球送り装置(図示せず)へ供給する上受け皿１４が配設されている。また、前面扉１１における最下部には、上受け皿１４からオーバーフローしたパチンコ球を貯留する下受け皿１５が配設されている。
【００１４】
前記上受け皿１４の上面および前面には、開始操作手段を構成する各種操作ボタン(賭数設定ボタン１６ａ,１６ｂ、リール停止ボタン１７、スタートレバー１８等)が設けられ、パロット１０は、これらのボタン等を操作することにより一連の変動ゲームが可変表示装置１９において実施されるようになっている。賭数設定ボタンは、遊技を行なうに際し、パチンコ球を最小単位の賭数(１ＢＥＴ分＝５球分)で設定する最小賭数設定ボタン１６ａと、パチンコ球を最大単位の賭数(例えば３ＢＥＴ分)で設定する最大賭数設定ボタン１６ｂがあり、これらのボタン１６ａ,１６ｂの操作により球送り装置を介してパチンコ球が機内に取込まれる。また、スタートレバー１８は、可変表示装置１９による変動ゲームを開始する際に操作するものであり、賭数設定ボタン１６ａ,１６ｂによりパチンコ球の適宜賭数を設定した後に、レバー操作することにより各リール１９ａ,１９ａ,１９ａの回転が開始される。更に、リール停止ボタン１７,１７,１７は、可変表示装置１９の複数のリール１９ａ,１９ａ,１９ａに対応して設けられ、当該ボタン１７,１７,１７の押圧操作により回転しているリール１９ａ,１９ａ,１９ａのうち対応するものを停止するよう構成される。
【００１５】
前記内枠１２の裏側略中央部には可変表示装置１９が配設され、この可変表示装置１９は、パロット１０の幅方向に並列した複数(実施例では３つ)のリール１９ａ,１９ａ,１９ａを備え、各リール１９ａの外周には複数種類の図柄が所定間隔で設けられている。また各リール１９ａは、対応的に接続されたステッピングモータ等の駆動手段(図示せず)により、他のリール１９ａ,１９ａと独立して縦方向に回転または停止し得るよう構成され、各リール１９ａが回転することで、窓部１１ａに図柄が連続的に変化しつつ表示されるようになっている。そして、リール１９ａ,１９ａ,１９ａが停止した際に、窓部１１ａに設定された有効ラインに並んだ図柄に応じて、入賞や特別遊技状態へ移行したり、または通常状態のまま遊技者の遊技操作により次の変動ゲームが開始される。
【００１６】
前記内枠１２の裏側には、主に可変表示装置１９による遊技の進行や球送り装置が実施するパチンコ球の取込みを制御する統括的な制御手段としての主制御基板ＰＣや電源基板ＤＣが設けられている(図５参照)。また、内枠１２の前側には、払出装置７０で実施するパチンコ球の払出しを制御するサブ制御手段として払出制御基板(図示せず)が設けられ、該払出制御基板は主制御基板ＰＣに接続されてパチンコ球の払出し制御がなされる。
【００１７】
図５に示すように、主制御基板ＰＣは、基板ケース４０に収納保護され、該ケース４０単位で取扱い得るようになっている。この基板ケース４０における内枠１２の裏面に設けた設置部１２ａへの取付構造は、設置部１２ａに固定したベース部材２０に保持された固定部材３０に、該基板ケース４０に設けた取付部４８,５８を固着することで取付けるものである。なお実施例では、ベース部材２０が設置部１２ａにおける左側部に取付けられ、このベース部材２０の右側に基板ケース４０を固定する構成である。
【００１８】
前記ベース部材２０は、例えば金属等の耐久性の高い板材を、所要形状に屈曲形成して、その一側縁(基板ケース４０の配設側：実施例では右側縁)に延在して、設置部１２ａに当接するよう固定ネジ(固定手段)Ｎで固定される固定片２２と、この固定片２２に連設されて設置部１２ａ側に開放すると共に固定部材３０を収容保持する保持部２４と、この保持部２４における設置部１２ａから離間する規制面２４ａに形成した嵌合孔２６とを備えている。また、ベース部材２０は、保持部２４の上方に一体的に連設され、固定部材３０に固着した基板ケース４０の前面(内枠１２を開放した際に裏面側に露出する表面)と略同一位置に臨む貼付部２８を備えている。更に、ベース部材２０には、固定片２２を設けた側縁と反対側縁(実施例では左側縁)に、保持部２４および貼付部２８に連設してフランジ部２０ａが延出形成され、固定片２２と共に設置部１２ａへの当接部位として機能する。
【００１９】
前記固定片２２には、上下の関係で離間して一対の通孔２２ａ,２２ａが開設されており(図１参照)、これらの通孔２２ａ,２２ａを設置部１２ａに設けた図示しないネジ孔と夫々整合させて、前側から通孔２２ａ,２２ａを介して固定ネジＮ,Ｎを夫々螺合することで、ベース部材２０が設置部１２ａに取付けられる。ここで、ベース部材２０の取付けに用いられる固定ネジＮは、一方に回転することで螺合し、他方に回転することで螺合状態を解除し得る一般的なものであって、ベース部材２０は固定ネジＮ,Ｎの係脱により着脱可能となっている。
【００２０】
前記保持部２４は、ベース部材２０の取付け時に、設置部１２ａから前側に離間して略平行に延在する規制面２４ａと、この規制部２４ａの両側縁から後側へ延出する規制側面２４ｂ,２４ｂとからなる設置部１２ａ側へ開放した断面コ字状に形成した部位であって、規制面２４ａ、規制側面２４ｂ,２４ｂおよび設置部１２ａとの間に画成される空間に固定部材３０を保持するよう構成される。また規制面２４ａには、上下方向に長辺が延在する長孔状の嵌合孔２６が開設されると共に、各規制側面部２４ｂには、上下の関係で所要間隔離間して一対の係止孔２７,２７が夫々開設され、対向する規制側面２４ｂ,２４ｂにおいて、係止孔２７,２７は対向する位置に開口している。更に、嵌合孔２６の一側縁(実施例では左側縁)には、位置決め溝２６ａが切欠形成されている(図１参照)。
【００２１】
前記貼付部２８は、保持部２４における左側の規制側面２４ｂに連設する貼付側部２８ａと、この貼付側部２８ａの前端から屈曲して基板ケース４０の配設側に延在する貼付片２８ｂとからなり、この貼付片２８ｂが固定部材３０に固着した基板ケース４０の前面と略同一面に位置するように形成されている。また、ベース部材２０および基板ケース４０を組付けた際に、貼付片２８ｂの右端部は、基板ケース４０の左側面との隙間を最小限とする近接した位置に配置される。そして、基板ケース４０の前面と貼付部２８の貼付片２８ｂとの間に、封印シール２９が一連に貼付けられる(図２参照)。
【００２２】
例えば、封印シール２９としては、開封の痕跡が残るものが採用される。この封印シール２９は、透明な当該シール２９の粘着面側にシルバー等の印刷層を設け、その印刷層中で文字を構成する部分と他の部分との間で、貼付対象への接着強度を異ならせたものである。そして、封印シール２９を基板ケース４０から剥がすと、例えば「開封済み」の文字部分が基板ケース４０側に残留する。しかも、剥離した封印シール２９には、その文字部分が抜け落ちた跡が残留するから、貼り直しても跡が消えず、残留した文字または封印シール２９の痕跡から基板ケース４０が取外されたことを判断し得る。
【００２３】
前記固定部材３０は、その本体がベース部材２０における保持部２４の左右の幅寸法および上下寸法と略同一に形成された部材であって、その前端部に階段状に形成され、ベース部材２０の嵌合孔２６に嵌合可能な嵌合突部(突部)３２と、この嵌合突部３２の前面に設けた固定突起(固定部)３４とを備えている。この嵌合突部３２は、固定部材３０本体の外周縁より所要間隔内方に位置して形成され、設置部１２ａに当接する固定部材３０の後端部から固定部材３０本体の前側に臨む面である肩部３０ａまでの寸法が、保持部２４における規制面２４ａの後面と設置部１２ａとの離間寸法と略同一となっている。また嵌合突部３２は、保持部２４の嵌合孔２６に整合する形状に形成され、保持部２４で固定部材３０を保持した際に、嵌合突部３２が嵌合孔２６に嵌合すると共に、固定突起３４が嵌合孔２６から外方(前側)に延出するよう構成される。
【００２４】
前記固定突起３４は、嵌合突部３２の前面に突設され、実施例では、上下の関係で離間して４つ設けられている(図３参照)。各固定突起３４には、前側に開口するネジ孔３４ａが夫々設けられ、基板ケース４０の取付けに際して、後述する固定手段であるビスＢが対応的に螺合される。このように固定部材３０は、保持部２４に収容保持することで、肩部３０ａが規制面２４ａの後面に当接して前側への移動が規制されると共に、本体側面が規制側面２４ｂ,２４ｂに当接し、また嵌合突部３２が嵌合孔２６を画成する規制面２４ａの縁部に当接して左右方向および上下方向への移動が規制され、ベース部材２０に対する位置決めを簡単に行ない得る。この状態で、ベース部材２０を設置部１２ａに固定すると、固定部材３０の後端部が設置部１２ａに当接して設置部１２ａにより嵌合突部３２が嵌合孔２６から抜ける方向への固定部材３０の移動が規制されるようになっている。このように、設置部１２ａを利用してベース部材２０からの固定部材３０の取外しを規制して、ベース部材２０自体の構成を簡略化してコストの低廉化を図っている。
【００２５】
前記固定部材３０は、前記構成に加えて、その前端部における嵌合突部３２の一側部(実施例では左側部)に位置決め突部３６が突設され、固定部材３０を保持部２４に収納するに際して、嵌合孔２６に形成した前記位置決め溝２６ａに位置決め突部３６が対応的に係合し、上下方向の位置決めが容易になっている。また、固定部材３０には、本体の各側面において保持部２４の各係止孔２７に対応する位置に係止爪３８が夫々形成されている。各係止爪３８は、左右方向に撓曲可能であって、常には左右に対向する係止爪３８,３８が互いに離間して本体側面より外方へ突出した位置にあり、固定部材３０の保持部２４への収納に際して、互いに近接する内方へ撓曲することで保持部２４への挿入が許容され、係止孔２７に対応的に係合することで、固定部材３０の抜出が規制される。
【００２６】
図１および図２に示すように、基板ケース４０は、設置部１２ａに対して装着される後ケース体５２と、この後ケース体５２に対して組付けられる前ケース体４２とから基本的に構成される。両ケース体４２,５２は、例えば透明な合成樹脂等をその一面が開放するように成形した皿状の部材であって、その開放面を互いに向き合わせた状態で組付けることで、その内方に画成される空間に主制御基板ＰＣを収容して覆蓋保護するよう構成される。
【００２７】
前記前ケース体４２は、基板ケース４０の前面をなす前板部４４の周縁部が後側へ延出して皿状に形成され、前板部４４は周縁部から内方へ所定間隔離間した部分が階段状に前側へ突出して、前ケース体４２の縁部よりの寸法が深くなる部分(第１領域)とその周辺の浅い部分(第２領域)とが形成される。前板部４４における後ケース体５２に臨む後面には、その上下左右の角隅部に位置決めボス４６が夫々立設されると共に、各位置決めボス４６の後端部にピン部４６ａが突設され、このピン部４６ａを主制御基板ＰＣの対応する位置に穿設した通孔(図示せず)に嵌合して位置決めするよう構成される(図１参照)。また、前板部４４の第２領域には、前ケース体４２の後面に臨む主制御基板ＰＣに搭載された各種の電子部品(ＣＰＵ,ＲＯＭ,ＲＡＭ等)を接続する回路に外部から接続するための複数のコネクタ受部(図示せず)に対応して、該各コネクタ受部の夫々の外形と略同一寸法で開口する複数の開口部４４ａが開設されている。更に、前板部４４の第２領域には、主制御基板ＰＣに実装されたＣＰＵと対応する部位に凹部４４ｂが設けられ、該凹部４４ｂの内面にＣＰＵを押えるべく機能する押え片(図示せず)が設けられている。
【００２８】
前記前ケース体４２に主制御基板ＰＣを保持した状態では、各コネクタ受部が対応的に開口部４４ａから外方(前側)に延出し、各電気的部品類から導出するリード線に配設されたコネクタ(図示せず)を前側から容易に接続し得るよう構成される。そして、この状態で各コネクタ受部の外周囲は前ケース体４２で覆われることとなり、主制御基板ＰＣに対する実装部の保護が図られるようになっている。なお凹部４４ｂは、前ケース体４２の組付けおよび取外し時の手掛けとして機能する。更に、前板部４４の前面には、前ケース体４２の左側部に複数設けられる取付部４８に対応して、文字または記号等の識別手段４４ｃが設けられ、これらの取付部４８の識別の容易化が図られている。
【００２９】
前記後ケース体５２は、略矩形状の後板部５４における周縁部が前側へ延出して皿状に形成され、その前側に臨む開放端縁が、前ケース体４２の開放端縁と対向的に当接するよう構成される(図１参照)。また、後板部５４における前ケース体４２に臨む前面には、その上下左右の角隅部における前ケース体４２の位置決めボス４６に対応する位置に、受けボス５６が夫々立設されている。各受けボス５６には、後述する取付部４８,５８を設けた側部と反対側に開放し、位置決めボス４６のピン部４６ａを係止する受け溝５６ａが設けられ、各ピン部４６ａを対応の受け溝５６ａに係止して、前ケース体４２を取付部４８,５８側へスライドさせることで、互いの開放端部が整合し、上下および左右方向への位置ずれを規制するようになっている。更に、後板部５４の後面には、スライド突起５４ａが後側へ向けて突設され、基板ケース４０の取付け時に、設置部１２ａに設けられた溝(図示せず)に係合して位置決めがなされる。なお、後板部５４における前記ベース部材２０の固定片２２に臨む後面には、設置部１２ａに取付けたベース部材２０の固定ネジＮ,Ｎとの干渉を回避するために、取付部５８側の側壁面も切り欠いた凹部５４ｂが設けられている。
【００３０】
前記前ケース体４２と後ケース体５２とは、一側部(実施例では固定部材３０の配設側である左側部)に夫々設けた取付部４８,５８において固定手段であるビスＢ,Ｂで固着されるよう構成される。また、基板ケース４０は、取付部４８,５８において両ケース体４２,５２を連結したビスＢを、更に固定部材３０における固定突起３４のネジ孔３４ａに螺合することで、ベース部材２０の固定ネジＮ,Ｎを隠した状態で設置部１２ａに取付けられるように構成される。実施例では、前ケース体４２の左側部から突出して上下の関係で離間して、６つの前取付部４８が一体形成されると共に、後ケース体５２の左側部に、各前取付部４８に対応して６つの後取付部５８が一体形成される。そして実施例では、最上段および最下段に設けた両取付部４８,５８が、両ケース体４２,５２の連結専用に供され、中段に位置する４つの両取付部４８,５８が、固定突起３４に対応的に臨むようになっている。ここで、両ケース体４２,５２の連結および固定部材３０への取付けに用いられるビスＢは、螺合する方向にだけ回転可能なものが採用され、ビスＢを一旦螺合すると、両取付部４８,５８を破壊しない限り、連結または取付け状態を解除することが困難となるように構成されている。
【００３１】
前記前取付部４８は、ビスＢの挿通を許容する挿通孔５０を開設した前取付片４８ａと、この前取付片４８ａの後側に円筒状に突出形成され、後取付部５８を保持する前係止片４８ｂと、前取付片４８ａの前側に円筒状に突出形成され、後述するキャップ片Ｃを保持する保持片４８ｃとから構成される(図３参照)。前取付部４８において、前取付片４８ａにおける前ケース体４２本体との接続部分は、挿通孔５０を開設した先端部分より狭小に形成されている。また前係止片４８ｂは、該前係止片４８ｂの壁部分における左側が開放されており、両ケース体４２,５２の連結時に、後ケース体５２に対して前ケース４２を右側からスライドすることでその内方に後取付部５８を保持し得るよう構成される。
【００３２】
前記後取付部５８は、ビスＢの挿通を許容する挿通孔６０を開設した後取付片５８ａを本体部分として、該後取付片５８ａにおける後ケース体５２本体との接続部分は、挿通孔６０を開設した先端部分より狭小に形成されている(図１参照)。また、固定部材３０の固定突起３４に相対する中段の４つ後取付部５８には、後取付片５８ａの後側に円筒状に突出して、固定突起３４を保持する後係止片５８ｂが夫々形成されている。この後係止片５８ｂは、該後係止片５８ｂの壁部分における左側が開放されており、基板ケース４０の取付け時に、ベース部材２０に対して基板ケース４０を右側からスライドすることでその内方に固定突起３４を保持し得るよう構成される。なお、両取付部４８,５８の挿通孔５０,６０を構成する壁面には、ネジ溝が付されている。
【００３３】
これら前取付部４８と後取付部５８とは、前ケース体４２を後ケース体５２に対して上下方向を整合させると共に右側へずらした状態で、各位置決めボス４６のピン部４６ａを受けボス５６の受け溝５６ａに挿入し、前ケース体４２を左側にずらしてピン部４６ａが受け溝５６ａで位置規制されることで、後取付部５８が前取付部４８の前係止片４８ｂに保持される。このとき、両取付部４８,５８の挿通孔５０,６０は前後に整合すると共に、前ケース体４２と後ケース体５２との開放端縁が整合して、内方に保持した主制御基板ＰＣを保護するようになっている。そして、最上段および最下段の両取付部４８,５８の両方または何れか一方を、ビスＢにより共通的に螺合することで、前ケース体４２と後ケース体５２とが分離不能に固着されるようになっている。なお、中段に位置する前取付部４８には、その挿通孔５０にビスＢが当該取付部４８の後側から突出しない程度に予め螺合されており、固定部材３０への取付け時に必要に応じて、適宜箇所の前取付部４８のビスＢを締結することで、後取付部５８および固定部材３０に螺合させて、基板ケース４０の取付けに用いられる。
【００３４】
各前取付部４８の保持片４８ｃには、周方向に離間して前後方向に延在する切欠４８ｄが形成され、この切欠４８ｄにキャップ片Ｃの周面に突出形成した突起Ｃ１を対応的に整合して、前側から嵌着されるよう構成されている。このように、取外し不能にビスＢがねじ込まれた前取付部４８にキャップ片Ｃを嵌着することにより、工具による当該ビスＢの弛み外し操作を不可能とし得るよう構成してある。また実施例では、４個のキャップ片Ｃが後ケース体５２における上壁に形成された枠部５２ａに切取り可能に一体成形され、必要に応じて適宜切断して使用に供し得るようになっている。
【００３５】
〔実施例の作用〕
次に、実施例に係るパロットの作用について説明する。基板ケース４０の固定対象となる固定部材３０は、ベース部材２０の保持部２４に保持され、このベース部材２０を設置部１２ａにネジ固定することで、設置部１２ａ、規制面２４ａ、係止孔２７と係止爪３８との係合作用および位置決め溝２６ａと位置決め突部３６との係合作用下に位置規制されて固定される。このとき、ベース部材２０を固定する固定ネジＮ,Ｎが挿通された固定片２２は、基板ケース４０の配設側に延在している。そして、ベース部材２０の嵌合孔２６を介して前側に露出した固定部材３０の固定突起３４と、前記スライド突起５４ｃにより設置部１２ａに装着した基板ケース４０の取付部４８,５８とを対応的に整合した状態で、適宜箇所の取付部４８,５８のビスＢをネジ孔３４ａに螺合することで、設置部１２ａと基板ケース４０の後面との間に固定ネジＮ,Ｎが位置した状態で基板ケース４０が分離不能に取付けられる。このように、基板ケース４０を取付けた状態では、固定ネジＮ,Ｎが基板ケース４０で隠れて前側から操作することは不可能であるから、ベース部材２０を取外すことはできない。また基板ケース４０は、固定部材３０に対して破壊しない限り取外しが困難なビスＢで固着されるから、当該基板ケース４０自体の取外しまたは前ケース体４２の分離が事実上不可能であって、検査等において取付部４８,５８を破壊することでしか取外し等を行なうことができない。すなわち、主制御基板ＰＣの不正改造や交換,変更等の不正行為の防止策として、前ケース体４２および基板ケース４０自体の不正な開放または取外しを阻止すると共に開放または取外しの履歴を残し得る。なお、正規の検査や保守点検等で取付部４８,５８が破断された場合は、別の固定突起３４のネジ孔３４ａおよび対応する取付部４８,５８を用いて取付けられる。
【００３６】
前記基板ケース４０を固定部材３０から取外すためには、固定突起３４のネジ孔３４ａに対してビスＢを螺合してある取付部４８,５８において、ケース体４２,５２との接続部分側の狭小部位を、ニッパー等の切断工具で破断する。これにより、破断した取付部４８,５８を固定部材３０に残留させたまま、基板ケース４０を固定部材３０から取外すことができる。そして、最上段または最下段の取付部４８,５８をビスＢで固着してある場合は、当該取付部４８,５８も破断することで、前ケース体４２と後ケース体５２とを分離して、主制御基板ＰＣの検査等を行なうことができる。また、主制御基板ＰＣを挟んで前ケース体４２と後ケース体５２とを嵌合させた状態で、固定部材３０の固定突起３４に未使用の取付部４８,５８を整合させ、予め前取付部４８に螺合してあるビスＢを固定突起３４のネジ孔３４ａに螺合することで、基板ケース４０を設置部１２ａに対して再び破壊しない限り取外し不能に取付けることができる。
【００３７】
しかも、悪意ある第三者が、主制御基板ＰＣ、基板ケース４０、固定部材３０を複製し、不正に交換しようとした場合においては、ベース部材２０を設置部１２ａから取外さない限り固定部材３０を交換することができないから、交換に要する時間を長びかせて不正行為を抑制することができる。 また、固定部材３０を取外すにはベース部材２０を設置部１２ａから取外してからになるが、この作業は通常の遊技場内で実施する正規の検査や保守点検等で行なう作業ではないので、遊技場の従業者への作業量の増加には繋がらない。
【００３８】
正規の検査や保守点検が複数回繰返されて、固定部材３０のネジ孔３４ａがビスＢで全て埋まった場合には、基板ケース４０を取外した後であれば、固定ネジＮ,Ｎを弛めてベース部材２０を取外すことで、固定部材３０を交換することができる。具体的には、ベース部材２０を設置部１２ａから取外したもとで、係止爪３８を内方へ撓曲することで、係止孔２７との係止状態が解除され、保持部２４から取出すことができる。このとき、固定部材３０の固定突起３４に破断した取付部４８,５８が固着していても、嵌合孔２６を介して取付部４８,５８を抜出すことができる。なお、固定部材３０の係止爪３８を同時に押圧し得る治具を用いれば、固定部材３０の交換作業を容易に実施し得る。
【００３９】
このように、基板ケース４０を固定するための固定部材３０を、ベース部材２０に対して着脱可能に構成したから、固定部材３０が使用不能となってもベース部材２０については再利用することができる。なお、パロット１０の製造者が当該パロット１０を回収し再利用する場合においては、前記の作業は工場内で行なうので、多少煩雑化しても作業者に大きな負担を掛けることはない。
【００４０】
前記ベース部材２０に貼付部２８を設けてあるから、ベース部材２０と基板ケース４０とに一連の封印シール２９を貼付けることができるので、より不正行為を抑制することができる。また、ベース部材２０に貼付部２８を一体形成したから、封印シール２９を貼付ける部材を別途設ける必要はなく、１つの部材にて更なる不正防止対策が図れると共に、部品点数の増加を抑制してコストの削減に寄与し得る。
【００４１】
(変更例)
(１)実施例では、各種電気的部品・手段に係る入出力制御等を図る電気的な制御基板としての主制御基板を収納した基板ケースを設置部に取付ける場合について説明したが、払出制御基板やその他の基板を収納した基板ケースを取付ける際にも適用し得る。また、設置部が設けられる位置も内枠の裏面に限定されるものではなく、内枠の表面や前面扉の裏面等に適宜設けることができる。
(２)実施例では、固定部と取付部との固着手段としてネジを用いたが、これに限定されず、固定した後に取外し不能または困難な固着手段であればよく、例えばリベットや接着剤等を採用することができる。
(３)実施例では、固定部材をベース部材の設置部側に開放した保持部に収納し、保持部と設置部とで固定部材を固定する構成であるが、ベース部材を設置部の固定した状態では、保持部の収納した固定部材が取外し不可能であって、かつベース部材を設置部から取外した状態で取外し可能な構成であれば、他の構成であってもよい。例えば、左右の一側面に開放した保持部に対して側方から固定部材を収納し、ベース部材を設置部に取付けた際に、固定部材の設置部側に設けた爪部が設置部の被係止部に係合して、ベース部材の取付け状態では当該爪部が操作不能となる構成等を採用し得る。
(４)実施例では、固定部として前側に突出する固定突起を４つ設ける構成であるが、これに限定されず、固定部は４以外の複数または単数であってもよく、また基板ケースの取付部と固着可能であれば、固定部材の前面に突設させず、平坦であってもよい。
【図面の簡単な説明】
【００４２】
【図１】本発明の好適な実施例に係るパロットにおいて、設置部に対する基板ケースの取付構造を各部材を分解して示す概略斜視図である。
【図２】実施例のパロットにおいて、基板ケースを固定部材に取付けた状態を示す概略斜視図である。
【図３】実施例のパロットにおいて、ベース部材に保持した固定部材に基板ケースを取付ける状況を一部示す概略斜視図である。
【図４】実施例のパロットを示す正面図である。
【図５】実施例のパロットにおける内枠を示す裏面図である。
【符号の説明】
【００４３】
１２ａ 設置部
２０ ベース部材
２２ 固定片
２４ 保持部
２４ａ 規制面
２６ 嵌合孔
２８ 貼付部
２９ 封印シール
３０ 固定部材
３２ 嵌合突部(突部)
３４ 固定突起(固定部)
４０ 基板ケース
４８ 前取付部(取付部)
５８ 後取付部(取付部)
Ｎ 固定ネジ(固定手段)
【図１】
0004789183.tif 000002
【図２】
0004789183.tif 000003
【図３】
0004789183.tif 000004
【図４】
0004789183.tif 000005
【図５】
0004789183.tif 000006